(57)【要約】【課題】単体の場合でも連窓の場合でも、所定有効開口寸法に対する枠取付開口寸法を小さくすることのできる引戸装置を提供すること。【解決手段】出入り口に配置される引戸扉４と、引戸枠部材２と、該引戸枠部材２の一側に形成され、引戸扉４を収納する戸袋３とからなる引戸装置１において、断面形状がコ字状とされ、戸袋３の厚み方向寸法と略同等とした戸尻側縦枠２３を、開口部２３ａが戸袋３内側に向くように配設する。【選択図】図１
2007107306.tif 000002
【特許請求の範囲】
【請求項１】
出入り口に配置される引戸扉と、引戸枠部材と、該引戸枠部材の一側に形成され、引戸扉を収納する戸袋とからなる引戸装置において、断面形状がコ字状とされ、戸袋の厚み方向寸法と略同等とした戸尻側縦枠を、開口部が戸袋内側に向くように配設したことを特徴とする引戸装置。
【請求項２】
隣り合う戸尻側縦枠の背面同士を連結して引戸装置を連窓することを特徴とする請求項１記載の引戸装置。
【発明の詳細な説明】
【技術分野】
【０００１】
本発明は、引戸装置に関し、特に、引戸枠部材の戸袋側縦枠を改良した引戸装置に関するものである。
【背景技術】
【０００２】
従来の引戸装置３０を図６〜図８に示す。
この引戸装置３０に利用される引戸枠部材３１は、上枠３２と、戸先側、戸尻側両縦枠３３、３４と、戸袋入口側方立３５と、該戸袋入口側方立３５と前記戸尻側縦枠３４とを連結する巾木としての下枠３６とからなり、引戸扉４が上吊り式の場合には上枠近傍に引戸扉４の前後に配設した戸車を載置する走行用レールを配備し、床面レール式の場合には、戸先側縦枠３３から戸尻側縦枠３４とにかけてそれらの下部に、引戸扉４下面に配設した走行車輪を載置するレール形状の下枠を配備してなる。
そして、通常これら引戸枠部材３１は、亜鉛メッキ鋼板を所望する形状に折り曲げて使用するもので、戸尻側縦枠３４は図７（ｂ）に示すように、戸袋３の厚み方向寸法と同等にしてＣ型に折り曲げ、開口部３４ａを外向きに向け、背面部３４ｂを戸袋３の内側に向けて、縦枠３４の上部背面に上枠３２の端部を当接せしめ、溶接やボルト等を用いて固定するようにしている。
【０００３】
しかし、この場合、上枠３２と戸尻側縦枠３４の連結は、戸尻側縦枠３４の背面部３４ｂに上枠３２の一端を当接して連結するため容易であるものの、有効開口寸法Ｌ１が１２００ｍｍ、戸袋寸法Ｌ２が１１３９ｍｍの場合、枠の取付精度を向上させるために配設する開口補強材Ｖまでの枠取付開口寸法Ｌ５が２４６９ｍｍとなる。また、図８に示すように、引戸装置３０を連窓する場合には、戸尻側縦枠３４の開口部３４ａ同士を当接する必要から枠取付開口寸法Ｌ６は４７６８ｍｍとなり、さらに、取付代寸法Ｌ３が約９０ｍｍ発生する上に、開口補強材Ｖを取り付けるスペースを確保することができないといった問題があった。
【発明の開示】
【発明が解決しようとする課題】
【０００４】
本発明は、上記従来の引戸装置の有する問題点に鑑み、単体の場合でも連窓の場合でも、所定有効開口寸法に対する枠取付開口寸法を小さくすることのできる引戸装置を提供することを目的とする。
【課題を解決するための手段】
【０００５】
上記目的を達成するため、本発明の引戸装置は、出入り口に配置される引戸扉と、引戸枠部材と、該引戸枠部材の一側に形成され、引戸扉を収納する戸袋とからなる引戸装置において、断面形状がコ字状とされ、戸袋の厚み方向寸法と略同等とした戸尻側縦枠を、開口部が戸袋内側に向くように配設したことを特徴とする。
【０００６】
この場合において、隣り合う戸尻側縦枠の背面同士を連結して引戸装置を連窓することができる。
【発明の効果】
【０００７】
本発明の引戸装置によれば、断面形状がコ字状とされ、戸袋の厚み方向寸法と略同等とした戸尻側縦枠を、開口部が戸袋内側に向くように配設するから、引戸扉を全開する際に、戸尻側縦枠の開口部が、引戸扉の戸尻側の進入を許容し、単体の引戸装置の場合には、同じ有効開口寸法であっても枠取付開口寸法を小さくすることができ、引戸装置を連窓する場合には、同じ取付枠開口寸法の場合でも開口補強を取り付けるスペースを確保することのできる引戸装置を提供することができる。
【０００８】
また、隣り合う戸尻側縦枠の背面同士を連結して引戸装置を連窓するときは、従来と同じ有効開口寸法で連窓した引戸装置であっても、枠取付開口寸法を小さくすることができる。
【発明を実施するための最良の形態】
【０００９】
以下、本発明の引戸装置の実施の形態を、図面に基づいて説明する。
なお、上記従来装置と同様の構造については同一の符号、一連の符号を付し説明を省略する。
【実施例１】
【００１０】
図１〜図２に、本発明の引戸装置の第１実施例を示す。
この引戸装置１は、従来例と同様、引戸枠部材２と、該枠部材２の一側に形成された戸袋３内に収納される引戸扉４と、戸袋３とより構成される。
引戸扉４の開閉の仕組みは特に限定されるものではなく、引戸扉４の上面に備えた対をなす前後の吊り車（図示しない）を走行用レール（図示しない）に載置し、通常は走行用レールを閉じ側に向けて傾斜せしめ、引戸扉４の自重によって、又は適宜手段（例えば、レールを床面と平行に取り付け、巻バネを用いて引戸扉４を閉鎖方向に付勢する等）によって常時は引戸扉４を閉じ方向に付勢するように構成する場合や走行用レールを水平に設け、開閉を人手のみにゆだねるものの他、引戸枠部材２下方の床面に敷設したレール上に引戸扉４を載置して引戸扉４を開閉する構成であってもかまわない。
【００１１】
本発明の引戸装置１に使用する引戸枠部材２は、上枠２１と、戸先側、戸尻側両縦枠２２、２３と、戸袋入口側方立２４と、該戸袋入口側方立２４と前記戸尻側縦枠２３とを連結する巾木としての下枠２５とからなり、引戸扉４が上吊り式の場合には上枠近傍に引戸扉４の前後に配設した戸車を載置する走行用レールを配備し、床面レール式の場合には、戸先側縦枠２２から戸尻側縦枠２３とにかけてそれらの下部に、引戸扉４下面に配設した走行車輪を載置するレール形状の下枠を配備してなる。
【００１２】
この引戸枠部材２の戸尻側縦枠２３は、従来例と同様、亜鉛メッキ鋼板を断面コ字状に折り曲げ、上枠２１との接合箇所に切欠部分２３ｃ（図５参照）を形成せしめ、上枠２１とはＬ字状の接合部材２６を介してビス等の固着手段で連結する。そして、この戸尻側縦枠２３は、開口部２３ａが戸袋３側３に向くように配設するようにしている。
【００１３】
これによって、有効開口寸法Ｌ１が１２００ｍｍ、戸袋寸法Ｌ２が１１３９ｍｍの従来と同様の引戸装置の場合、開口補強材Ｖまでの枠取付開口寸法Ｌ４は２４２４ｍｍと、従来例に比して枠取付開口寸法を４５ｍｍ小さくすることができる。
【実施例２】
【００１４】
図３に、本発明の引戸装置の第２実施例を示す。
この引戸装置１は、居室が室壁２７によって区分けされるような場合に用いられる連窓タイプの引戸装置で、本実施例では図３に示すように２連窓の場合を例に説明する。
この引戸装置１は、実施例１と同様に、引戸枠部材２の戸尻側縦枠２３は、亜鉛メッキ鋼板を断面コ字状に折り曲げ、開口部２３ａが戸袋３側３に向くように配設するようにしている。
【００１５】
そして、本実施例の引戸装置１は、有効開口寸法Ｌ１が１２００ｍｍ、戸袋寸法Ｌ２が１１３９ｍｍ、枠取付開口寸法Ｌ６が従来例と同様の４７６８ｍｍに構成するもので、戸尻側縦枠２３の開口部２３ａが戸袋３側３に向くように配設しているから、戸袋寸法Ｌ２を従来と同様の寸法としても、取付代寸法Ｌ３内に開口補強材Ｖを配設することができ、引戸枠部材２の取付精度を向上させることができる。
【実施例３】
【００１６】
図４に、本発明の引戸装置の第３実施例を示す。
この引戸装置１も第２実施例と同じく、連窓タイプの引戸装置であり、隣り合う戸尻側縦枠２３の背面部２３ｂ同士を連結して構成する以外は、第２実施例と同様でありその説明を省略する。
【００１７】
そして、第３実施例の引戸装置１では、隣り合う戸尻側縦枠２３の背面部２３ｂ同士を連結して引戸装置１を連窓するから、取付代寸法Ｌ３は０ｍｍとなり、開口補強材Ｖを配設することはできないものの枠取付開口寸法Ｌ７を４６７８ｍｍとすることができ、従来例に比して、枠取付開口寸法を９０ｍｍ小さくすることができる効果を有するものである。
【００１８】
上記の実施例１〜３はいずれも１枚の引戸扉を用いる引戸装置に適用した例を示すが、２枚の引戸扉を連動させて開口部の開閉を行い、かつ２枚の引戸扉を共に戸袋内に収納する２連式の引戸装置にも適用することができる。
２連式引戸装置の場合は、戸袋の厚み方向寸法に等しい縦枠の開口部幅を、２枚の引戸扉の戸尻側部が、進入できる厚み寸法にしておけば、戸尻側縦枠内に２枚分の引戸扉が入ることによって、戸袋寸法を小さくすることができ、人が出入りをする有効開口寸法を大きくすることができる。
【００１９】
以上、本発明の引戸装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２０】
本発明の引戸装置は、コ字状に折り曲げて形成した戸尻側縦枠を、開口部が戸袋側に向くように配設して戸袋寸法を有効に確保することができるという特性を有していることから、単体の引戸装置に適用する用途の他、特に居室を多数区分けし、引戸装置を連窓して用いる用途に好適に適用することができる。
【図面の簡単な説明】
【００２１】
【図１】本発明の引戸装置の第１実施例を示す閉鎖位置の正面図である。
【図２】本発明の引戸装置の第１実施例を示し、（ａ）は、図１のＸ−Ｘ断面図、（ｂ）は、（ａ）のＡ部拡大図である。
【図３】本発明の引戸装置の第２実施例を示し、（ａ）は、開口補強部材を配設した場合の断面平面図、（ｂ）は、（ａ）のＢ部拡大図である。
【図４】本発明の引戸装置の第２実施例を示し、（ａ）は、開口補強部材を配設しない場合の断面平面図、（ｂ）は、（ａ）のＣ部拡大図である。
【図５】本発明の引戸装置の引戸枠部材の戸尻側縦枠と上枠の接合状況を示し、（ａ）は、一部切り欠きの平面図、（ｂ）は、一部切り欠きの正面図である。
【図６】従来の引戸装置を示す閉鎖位置の正面図である。
【図７】従来の引戸装置を示し、（ａ）は、図５のＹ−Ｙ断面図、（ｂ）は、（ａ）のＤ部拡大図である。
【図８】従来の引戸装置を連窓した場合の例を示し、（ａ）は、一部切り欠きの断面平面図、（ｂ）は、（ａ）のＥ部拡大図である。
【符号の説明】
【００２２】
１    引戸装置
２    引戸枠部材
２３  戸尻側縦枠
２３ａ  開口部
３    戸袋
４    引戸扉
【図１】
2007107306.tif 000003
【図２】
2007107306.tif 000004
【図３】
2007107306.tif 000005
【図４】
2007107306.tif 000006
【図５】
2007107306.tif 000007
【図６】
2007107306.tif 000008
【図７】
2007107306.tif 000009
【図８】
2007107306.tif 000010